(57)【要約】【課題】空調装置の運転停止に伴う屋内空間の温度上昇又は温度低下により居住者等のユーザが体調を悪くしてしまうのを防止することができる建物の空調システムを提供する。【解決手段】建物１０には、居室１１〜１３と寝室１４とを空調対象として冷房及び暖房を行う空調装置２１が設けられている。空調コントローラは、居住者による手動操作により空調装置２１の運転が停止されている場合に、各室温センサ２５からの検知信号に基づき各居室１１〜１３及び寝室１４の室温を取得する。そして、空調コントローラは、それら取得した各室温のうちいずれかの室温が所定温度に達した場合に、空調装置２１の運転を自動で開始させる。【選択図】      図１
2018189329.tif 000002
【特許請求の範囲】
【請求項１】
複数の屋内空間を空調対象として冷房又は暖房を行う空調装置を備える建物の空調システムであって、
前記各屋内空間の温度を取得する温度取得手段と、
ユーザによる運転停止操作に基づき前記空調装置の運転が停止されている場合において、前記温度取得手段により取得した前記各屋内空間の温度のうちいずれかの温度が所定温度に達したときに、前記空調装置の運転を自動で開始させる運転開始処理を行うか、又は前記空調装置の運転開始操作をユーザに促す報知処理を行う制御手段と、
を備えることを特徴とする建物の空調システム。
【請求項２】
前記空調装置の運転停止時における制御モードとして、ユーザの操作により設定が可能な自動運転禁止モードを有しており、
前記制御手段は、前記自動運転禁止モードに設定されている場合には、前記空調装置の前記運転開始処理を行わないことを特徴とする請求項１に記載の建物の空調システム。
【請求項３】
前記所定温度は第１温度であり、
前記制御手段は、前記自動運転禁止モードに設定されている場合でも、前記温度取得手段により取得した前記各屋内空間の温度のうちいずれかの温度が、前記空調装置の設定温度に対して前記第１温度よりも乖離した第２温度に達したときには、前記空調装置の前記運転開始処理を行うことを特徴とする請求項２に記載の建物の空調システム。
【請求項４】
前記建物内にユーザが在宅しているか否かを判定する在宅判定手段を備え、
前記制御手段は、前記在宅判定手段によりユーザが在宅していると判定された場合に、前記空調装置の前記運転開始処理を行うことを特徴とする請求項１乃至３のいずれか一項に記載の建物の空調システム。
【請求項５】
前記制御手段は、前記報知処理を実施してから所定時間が経過しても前記空調装置の運転が開始されない場合には前記運転開始処理を行うことを特徴とする請求項１乃至４のいずれか一項に記載の建物の空調システム。
【発明の詳細な説明】
【技術分野】
【０００１】
本発明は、建物の空調システムに関する。
【背景技術】
【０００２】
住宅等の建物では、共通の空調装置を用いて全館空調を行う全館空調システムが設けられている場合がある（例えば特許文献１参照）。全館空調システムでは、空調装置により生成された空調空気（冷気又は暖気）が空調ダクトを通じて建物内の各部屋へ供給されることで、それら各部屋の空調（冷暖房）が行われるようになっている。また、全館空調システムは、基本的には常時運転されるものであるため、各部屋の冷暖房が常時行われるようになっている。
【先行技術文献】
【特許文献】
【０００３】
【特許文献１】特開２０１６−１３０６２４号公報
【発明の概要】
【発明が解決しようとする課題】
【０００４】
ところで、夏場であっても比較的涼しい朝方の時間帯や、冬場であっても比較的暖かい昼間の時間帯などには、空調を行わなくても比較的過ごし易い場合がある。そこで、そのような場合には、居住者が空調システム（空調装置）の運転を手動操作により停止させることが考えられる。空調システムの運転を停止させた場合、夏場であれば部屋の温度が上昇し、冬場であれば部屋の温度が低下する。そして、居住者は暑さや寒さを感じると、空調システムの運転を再開させ部屋の冷暖房を行うことになる。
【０００５】
ここで、居住者として、暑さや寒さに対する感覚が鈍くなっている高齢者等が居住している場合、部屋の温度が上昇したり低下したりしても、それに気づかない場合が想定される。その場合、居住者は空調システムの運転を再開させることなく、温度が上昇又は低下した部屋に滞在することになるため、居住者が熱中症になったり風邪をひいたりする等、体調を悪くしてしまうことが考えられる。
【０００６】
本発明は、上記事情に鑑みてなされたものであり、空調装置の運転停止に伴う屋内空間の温度上昇又は温度低下により居住者等のユーザが体調を悪くしてしまうのを防止することができる建物の空調システムを提供することを主たる目的とするものである。
【課題を解決するための手段】
【０００７】
上記課題を解決すべく、第１の発明の建物の空調システムは、複数の屋内空間を空調対象として冷房又は暖房を行う空調装置を備える建物の空調システムであって、前記各屋内空間の温度を取得する温度取得手段と、ユーザによる運転停止操作に基づき前記空調装置の運転が停止されている場合において、前記温度取得手段により取得した前記各屋内空間の温度のうちいずれかの温度が所定温度に達したときに、前記空調装置の運転を自動で開始させる運転開始処理を行うか、又は前記空調装置の運転開始操作をユーザに促す報知処理を行う制御手段と、を備えることを特徴とする。
【０００８】
本発明によれば、ユーザ（例えば居住者）による運転停止操作に基づき空調装置の運転が停止されている場合に、空調対象である各屋内空間の温度が取得される。そして、それら取得された各屋内空間の温度のうちいずれかの温度が所定温度に達した場合に、空調装置の運転（冷房運転又は暖房運転）が自動で開始されるか、又は、空調装置の運転開始をユーザに促す報知処理が行われる。この場合、例えば夏場において冷房運転を停止している際に、いずれかの屋内空間の温度が著しく上昇した場合には、冷房運転を自動で開始させたり又はユーザに冷房運転の開始操作を行わせたりすることができる。また、冬場において暖房運転を停止している際に、いずれかの屋内空間の温度が著しく低下した場合には、暖房運転を自動で開始させたり又はユーザに暖房運転の開始操作を行わせたりすることができる。これにより、ユーザが空調装置の運転停止時に屋内空間の温度が上昇したり低下したりしたことに気づかない場合でも、空調装置の運転を自動又は手動で再開させることができるため、空調装置の運転停止に伴う屋内空間の温度上昇又は温度低下によりユーザが体調を悪くしてしまうのを防止することができる。
【０００９】
第２の発明の建物の空調システムは、第１の発明において、前記空調装置の運転停止時における制御モードとして、ユーザの操作により設定可能な自動運転禁止モードを有しており、前記制御手段は、前記自動運転禁止モードに設定されている場合には、前記空調装置の前記運転開始処理を行わないことを特徴とする。
【００１０】
冷え性等で空調が苦手なユーザにおいては、空調装置の運転を一定期間停止させておきたい場合があると考えられる。そのようなユーザの場合、空調装置の運転が自動で開始されると、かえってユーザが不快感等を感じてしまうことが想定される。そこで本発明では、ユーザが自動運転禁止モードに設定している場合には、屋内空間の温度が所定温度に達した場合でも、空調装置の運転を開始させないようにしている。これにより、空調装置の運転再開によりユーザが不快感等を感じてしまうのを防止することができる。
【００１１】
第３の発明の建物の空調システムは、第２の発明において、前記所定温度は第１温度であり、前記制御手段は、前記自動運転禁止モードに設定されている場合でも、前記温度取得手段により取得した前記各屋内空間の温度のうちいずれかの温度が、前記空調装置の設定温度に対して前記第１温度よりも乖離した第２温度に達したときには、前記空調装置の前記運転開始処理を行うことを特徴とする。
【００１２】
ところで、空調が苦手なユーザでも、屋内空間の温度が著しく上昇又は低下した場合には、体調を悪くしてしまうおそれがある。その一方で、こうしたユーザは暑さや寒さに対する感覚が鈍くなっていると考えられるため、屋内空間の温度が著しく上昇又は低下しても気づかないことが考えられる。そこで本発明では、こうした点に鑑み、自動運転禁止モードに設定されている場合でも、屋内空間の温度が空調目標温度に対して第１温度よりも乖離した第２温度に達したときには、空調装置の運転を開始させることとしている。これにより、自動運転禁止モードの設定時においても、ユーザが体調を悪くしてしまうのを防止することが可能となる。
【００１３】
第４の発明の建物の空調システムは、第１乃至第３のいずれかの発明において、前記建物内にユーザが在宅しているか否かを判定する在宅判定手段を備え、前記制御手段は、前記在宅判定手段によりユーザが在宅していると判定された場合に、前記空調装置の前記運転開始処理を行うことを特徴とする。
【００１４】
本発明によれば、居住者等のユーザが建物内に在宅していることを条件に、空調装置の運転が開始される。つまり、この場合、ユーザが在宅していない場合には空調装置の運転が開始されないため、ユーザが不在であるにもかかわらず無駄に空調装置を運転させてしまうことを回避することができる。
【００１５】
第５の発明の建物の空調システムは、第１乃至第４のいずれかの発明において、前記制御手段は、前記報知処理を実施してから所定時間が経過しても前記空調装置の運転が開始されない場合には前記運転開始処理を行うことを特徴とする。
【００１６】
本発明によれば、ユーザに空調装置の運転開始を促す報知処理が行われてから所定時間が経過しても、空調装置の運転が開始されない場合には、当該空調装置の運転が自動で開始される。これにより、ユーザが昼寝等をしていて報知処理に気づかない場合でも、所定時間が経過すると空調装置の運転が行われるため、このような場合でもユーザが体調を悪くしてしまうのを防止することが可能となる。
【図面の簡単な説明】
【００１７】
【図１】建物の間取りを示す平面図。
【図２】空調システムの電気的構成を示す図。
【図３】空調制御処理を示すフローチャート。
【発明を実施するための形態】
【００１８】
以下に、本発明を具体化した一実施の形態について図面を参照しつつ説明する。本実施形態では、建物に、居住者として、両親とその子供とが居住していることに加え、子供の祖父母（高齢者）が居住していることを想定している。図１はその建物の間取りを示す平面図であり、以下においてはその図１を用いながら建物１０の概要について説明する。
【００１９】
図１に示すように、建物１０には、屋内空間として、居室１１〜１３と、寝室１４と、機械室１５と、廊下１６とが設けられている。各居室１１〜１３のうち、居室１１は、例えばリビングとダイニングとを有するリビングダイニング（ＬＤ）からなり、居室１２は、子供が滞在する子供部屋となっており、居室１３は、祖父母が滞在する祖父母の部屋となっている。なお、各居室１１〜１３は洋室であっても和室であってもよい。また、寝室１４は、両親の主寝室となっており、機械室１５は、空調装置２１の設置スペースとなっている。
【００２０】
廊下１６は、各居室１１〜１３、寝室１４及び機械室１５に通じている。これら各部屋１１〜１５には、廊下１６から出入口１８ａ〜１８ｅを通じて出入りが可能となっている。それら出入口１８ａ〜１８ｅにはドア１９ａ〜１９ｅが設けられている。各ドア１９ａ〜１９ｅのうち、ドア１９ａ〜１９ｄは開き戸からなり、ドア１９ｅは折り戸からなる。これら各ドア１９ａ〜１９ｅはいずれも下端側がアンダーカットされ、ドア１９ａ〜１９ｅ下が部屋１１〜１５と廊下１６とを連通する通気部となっている。
【００２１】
次に、建物１０に設けられた空調システムについて説明する。
【００２２】
空調システムは、機械室１５に設置された空調装置２１により、複数の屋内空間を空調対象として空調（冷暖房）を行う全館空調システムとして構成されている。本建物１０では、各屋内空間のうち、居室１１〜１３及び寝室１４がそれぞれ空調装置２１による空調対象となっている。以下の説明では、これら各屋内空間１１〜１４を空調空間１１〜１４という。
【００２３】
空調装置２１は、冷房機能及び暖房機能を有する室内機として構成されている。空調装置２１は、機械室１５内の空気を取り込む取込部（図示略）を有しており、その取込部より取り込んだ空気を温度調整することで空調空気（冷房空気又は暖房空気）を生成する。
【００２４】
空調装置２１には、複数の空調ダクト２２が接続されている。それら各空調ダクト２２は各空調空間１１〜１４へそれぞれ延びており、それら各空調空間１１〜１４に設けられた吹出口２３にそれぞれ接続されている。各空調ダクト２２は例えば屋内空間の天井裏に設けられ、各吹出口２３は例えば各空調空間１１〜１４の天井に設けられている。なお、図１では便宜上、各空調ダクト２２を破線で示している。
【００２５】
空調装置２１により生成された空調空気（冷気又は暖気）は各空調ダクト２２を通じて各空調空間１１〜１４の吹出口２３にそれぞれ供給される。そして、それら供給された空調空気は各吹出口２３より屋内空間１１〜１４に吹き出される。これにより、それら吹き出された空調空気（冷気又は暖気）により屋内空間１１〜１４の冷房又は暖房が行われる。
【００２６】
ちなみに、各空調空間１１〜１４に吹き出された空調空気は、その後、ドア１９ａ〜１９ｄ下の通気部を通じて廊下１６へ流れ込み、さらには廊下１６からドア１９ｅ下の通気部を通じて機械室１５に流れ込む（還流する）。つまり、本建物１０には、各屋内空間１１〜１４に吹き出された空調空気を機械室１５へ還流させる還流経路が設けられ、空調装置２１はその還流経路を通じて機械室１５に還流した空調空気を取り込み空調空気を再度生成する。このように、本空調システムは、屋内の空気を循環させながら空調を行う循環式の空調システムとなっている。
【００２７】
ところで、夏場であっても比較的涼しい朝方の時間帯や、冬場であっても比較的暖かい昼間の時間帯などには、空調装置２１により空調空間１１〜１４を空調（冷暖房）しなくても過ごし易い場合がある。そこで、そのような場合には、居住者が手動操作により空調装置２１の運転を停止させることがあると考えられる。空調装置２１の運転停止時においては、建物１０内（空調空間１１〜１４）の温度が夏場であれば上昇し、冬場であれば低下する。そして、居住者は暑さや寒さを感じた場合に、空調装置２１の運転を再開させ空調空間１１〜１４の冷暖房を行うと考えられる。
【００２８】
ここで、本建物１０には、居住者として祖父母が居住している。祖父母は高齢者であるため、暑さや寒さに対する感覚が鈍くなっていると考えられる。そのため、空調装置２１の運転停止時に建物１０内の温度が上昇したり低下したりしても、祖父母はそれに気づかない場合が想定され、その場合、祖父母は空調装置２１の運転を再開させることなく温度上昇又は温度低下した空調空間１１〜１４に居続けることになってしまう。そうすると、祖父母が熱中症になったり風邪をひいてしまったりする等、体調を悪くしてしまうことが懸念される。
【００２９】
そこで、本空調システムでは、こうした点を鑑み、空調装置２１の運転停止時に空調空間１１〜１４の温度が著しく上昇又は低下した場合に、空調装置２１の運転を自動で開始させる制御を行うようにしている。そこで、以下においては、かかる制御に関する構成について説明する。
【００３０】
各空調空間１１〜１４にはそれぞれ、温度検知手段としての室温センサ２５が設けられている。室温センサ２５は、当該センサ２５が設けられた空調空間１１〜１４の温度、つまり室温を検知するセンサである。室温センサ２５は、例えば空調空間１１〜１４の壁面に設けられている。なお、これら室温センサ２５が温度取得手段に相当する。
【００３１】
各空調空間１１〜１４にはそれぞれ、人検知手段としての人検知センサ２６が設けられている。人検知センサ２６は、当該センサ２６が設けられた空調空間１１〜１４に人がいることを検知するセンサである。人検知センサ２６は、例えば空調空間１１〜１４の天井に設けられている。
【００３２】
次に、空調システムの電気的構成について図２を用いながら説明する。図２は空調システムの電気的構成を示す図である。
【００３３】
図２に示すように、空調システムは、制御手段としての空調コントローラ３０を備える。空調コントローラ３０は、空調装置２１の運転制御を行うものであり、ＣＰＵ等を有する周知のマイクロコンピュータを有して構成されている。空調コントローラ３０は、例えば空調装置２１に内蔵されている。
【００３４】
空調コントローラ３０には操作装置３１（リモコン装置）が接続されている。操作装置３１は、空調装置２１の運転に関する各種操作を行うものであり、例えば居室１１の壁面に設けられている。操作装置３１には、空調装置２１の運転を実行（ＯＮ）又は停止（ＯＦＦ）させるためのＯＮ／ＯＦＦスイッチや、空調装置２１の冷房運転又は暖房運転の切替を行うための切替スイッチ、空調装置２１の冷房設定温度又は暖房設定温度を設定するための温度設定ボタン等が設けられている。操作装置３１に対して上記スイッチ等による操作が行われると、その操作に応じた信号が空調コントローラ３０に入力される。そして、空調コントローラ３０は、その入力された操作信号に基づいて空調装置２１の運転制御を行う。例えば、空調コントローラ３０は、空調装置２１の冷房設定温度又は暖房設定温度が入力されると、その入力された設定温度を目標温度として（つまり空調空間１１〜１４の温度が設定温度となるように）、空調装置２１の冷房運転又は暖房運転を制御する。
【００３５】
空調コントローラ３０は、空調装置２１の運転停止時における制御モード（運転停止時モード）として、自動運転モードと、自動運転禁止モードとを有している。自動運転モードは、空調装置２１の運転停止時に空調空間１１〜１４の温度（室温）が著しく上昇又は低下した場合に、空調装置２１の運転を自動で開始させるためのモードである。空調コントローラ３０は、自動運転モードの設定時において、空調空間１１〜１４の室温が著しく上昇した場合には空調装置２１の冷房運転を開始させ、空調空間１１〜１４の室温が著しく低下した場合には空調装置２１の暖房運転を開始させる。一方、自動運転禁止モードは、空調装置２１の運転停止時に空調空間１１〜１４の室温が著しく上昇又は低下した場合でも、空調装置２１の運転を開始させることを禁止するためのモードである。
【００３６】
本空調システムでは、操作装置３１の操作に基づき、空調装置２１の運転停止時モードを、自動運転モードと自動運転禁止モードとのいずれかに切り替えることが可能となっている。操作装置３１の操作によりいずれかのモードに切替操作されると、空調コントローラ３０は、その切替操作に応じたモードを運転停止時モードとして設定する。
【００３７】
空調コントローラ３０には、各室温センサ２５と各人検知センサ２６とが接続されている。空調コントローラ３０には、これら各センサ２５，２６から逐次検知信号が入力される。空調コントローラ３０は、空調装置２１の運転停止時においては、これら各センサ２５，２６からの検知信号と、同コントローラ３０に設定されている運転停止時モードとに基づいて、空調装置２１の運転を開始させる運転開始制御を行う。
【００３８】
次に、空調コントローラ３０により実行される空調制御処理について図３に示すフローチャートを用いて説明する。なお、本処理は、所定の周期で繰り返し実行される。
【００３９】
図３に示すように、まずステップＳ１１では、空調装置２１の運転が実行中であるか否かを判定する。つまり、空調装置２１の冷房運転又は暖房運転が実行中であるか否かを判定する。空調装置２１の運転が停止中である場合にはステップＳ１４に進み、空調装置２１の運転が実行中である場合にはステップＳ１２に進む。
【００４０】
ステップＳ１２では、操作装置３１（ＯＮ／ＯＦＦスイッチ）により空調装置２１の運転を停止させるＯＦＦ操作がされたか否かを判定する。この判定は、操作装置３１からＯＦＦ信号が入力されたか否かに基づき行う。ＯＦＦ操作されていない場合には本処理を終了し、ＯＦＦ操作された場合にはステップＳ１３に進む。
【００４１】
ステップＳ１３では、空調装置２１に運転停止信号を出力することで、空調装置２１の運転（冷房運転又は暖房運転）を停止させる。これにより、空調装置２１による各空調空間１１〜１４の冷房又は暖房が停止される。
【００４２】
ステップＳ１４以降の処理は、空調装置２１の運転停止時に行われる運転停止時処理である。運転停止時処理では、まずステップＳ１４にて、各人検知センサ２６からの検知信号に基づき、居住者が建物１０に在宅しているか否かを判定する（在宅判定手段に相当）。いずれかの人検知センサ２６により人の存在が検知された場合には、居住者が在宅していると判定しステップＳ１５に進む。一方、いずれの人検知センサ２６によっても人の存在が検知されなかった場合には、居住者が在宅していないと判定し本処理を終了する。
【００４３】
ステップＳ１５では、各室温センサ２５からの検知信号に基づき、各空調空間１１〜１４の室温を取得する。続くステップＳ１６では、空調装置２１が冷房運転設定及び暖房運転設定のいずれに設定されているかを判定する。この判定は、操作装置３１の切替スイッチによる冷暖房設定に基づき行う。空調装置２１が冷房設定されている場合にはステップＳ１７に進む。
【００４４】
ステップＳ１７では、空調装置２１の運転停止時における制御モード（運転停止時モード）として、自動運転モード及び自動運転禁止モードのうちいずれのモードが設定されているかを判定する。自動運転モードが設定されている場合にはステップＳ１８に進み、ステップＳ１５で取得した各空調空間１１〜１４の室温のうちいずれかの室温が所定の冷房開始温度Ｔｃ１以上となっているか否かを判定する。つまり、ここでは、上記いずれかの室温が冷房開始温度Ｔｃ１まで上昇したか（冷房開始温度Ｔｃ１に達したか）否かを判定する。この場合、冷房開始温度Ｔｃ１は、その温度環境下で空調空間１１〜１４に滞在すると熱中症等にかかるおそれがある温度に設定され、例えば３５℃に設定されている。なお、冷房開始温度Ｔｃ１が「所定温度」及び「第１温度」に相当する。各空調空間１１〜１４の室温がいずれも冷房開始温度Ｔｃ１よりも低くなっている場合には本処理を終了し、各空調空間１１〜１４の室温のうちいずれかの室温が冷房開始温度Ｔｃ１以上となっている場合にはステップＳ１９に進む。
【００４５】
ステップＳ１９では、空調装置２１に冷房運転開始信号を出力することで、空調装置２１の冷房運転を開始（実行）させる。これにより、空調装置２１による空調空間１１〜１４の冷房が開始される。したがって、空調装置２１の冷房運転停止時に空調空間１１〜１４の室温が著しく上昇した場合には、空調装置２１の冷房運転が自動で開始されるようになっている。その後、本処理を終了する。
【００４６】
上記ステップＳ１７において、自動運転禁止モードが設定されている場合にはステップＳ２１に進み、各空調空間１１〜１４の室温のうちいずれかの室温が所定の冷房開始温度Ｔｃ２以上となっているか否かを判定する。つまり、ここでは、上記いずれかの室温が冷房開始温度Ｔｃ２まで上昇したか（冷房開始温度Ｔｃ２に達したか）否かを判定する。この場合、冷房開始温度Ｔｃ２は、上記冷房開始温度Ｔｃ１よりも高い温度に設定され（Ｔｃ２＞Ｔｃ１）、例えば４０℃に設定されている。また、換言すると、冷房開始温度Ｔｃ２は、空調装置２１の冷房設定温度Ｔｃ０に対して冷房開始温度Ｔｃ１よりも（大きく）乖離した温度となっており、つまりＴｃ２−Ｔｃ０＞Ｔｃ１−Ｔｃ０となっている。なお、冷房開始温度Ｔｃ２が「第２温度」に相当する。
【００４７】
各空調空間１１〜１４の室温がいずれも冷房開始温度Ｔｃ２よりも低くなっている場合には本処理を終了する。一方、各空調空間１１〜１４の室温のうちいずれかの室温が冷房開始温度Ｔｃ２以上となっている場合にはステップＳ１９に進み、空調装置２１の冷房運転を開始させる。その後、本処理を終了する。これにより、自動運転禁止モードが設定されている場合にも、空調空間１１〜１４の室温がさらに著しく上昇した場合には、空調装置２１の冷房運転が開始されるようになっている。
【００４８】
先述のステップＳ１６において、空調装置２１が暖房設定されている場合にはステップＳ２３に進み、運転停止時モードとして、自動運転モード及び自動運転禁止モードのうちいずれのモードが設定されているかを判定する。自動運転モードが設定されている場合にはステップＳ２４に進み、各空調空間１１〜１４の室温のうちいずれかの室温が所定の暖房開始温度Ｔｈ１以下となっているか否かを判定する。つまり、ここでは、上記いずれかの室温が暖房開始温度Ｔｈ１まで低下したか（暖房開始温度Ｔｈ１に達したか）否かを判定する。この場合、暖房開始温度Ｔｈ１は、その温度環境下で空調空間１１〜１４に滞在すると風邪等をひくおそれがある温度に設定され、例えば８℃に設定されている。なお、暖房開始温度Ｔｈ１が「所定温度」及び「第１温度」に相当する。各空調空間１１〜１４の室温がいずれも暖房開始温度Ｔｈ１よりも高くなっている場合には本処理を終了し、各空調空間１１〜１４の室温のうちいずれかの室温が暖房開始温度Ｔｈ１以下となっている場合にはステップＳ２５に進む。
【００４９】
ステップＳ２５では、空調装置２１に暖房運転開始信号を出力することで、空調装置２１の暖房運転を開始（実行）させる。これにより、空調装置２１による空調空間１１〜１４の暖房が開始される。したがって、空調装置２１の暖房運転停止時に空調空間１１〜１４の室温が著しく低下した場合には、空調装置２１の暖房運転が自動で開始されるようになっている。その後、本処理を終了する。
【００５０】
上記ステップＳ２３において、自動運転禁止モードが設定されている場合にはステップＳ２６に進み、各空調空間１１〜１４の室温のうちいずれかの室温が所定の暖房開始温度Ｔｈ２以下となっているか否かを判定する。つまり、ここでは、上記いずれかの室温が暖房開始温度Ｔｈ２まで低下したか（暖房開始温度Ｔｈ２に達したか）否かを判定する。この場合、暖房開始温度Ｔｈ２は、上記暖房開始温度Ｔｈ１よりも低い温度に設定され（Ｔｈ１＞Ｔｈ２）、例えば３℃に設定されている。また、換言すると、暖房開始温度Ｔｈ２は、空調装置２１の暖房設定温度Ｔｈ０に対して暖房開始温度Ｔｈ１よりも（大きく）乖離した温度となっており、つまりＴｈ０−Ｔｈ２＞Ｔｈ０−Ｔｈ１となっている。なお、暖房開始温度Ｔｈ２が「第２温度」に相当する。
【００５１】
各空調空間１１〜１４の室温がいずれも暖房開始温度Ｔｈ２よりも高くなっている場合には本処理を終了する。一方、各空調空間１１〜１４の室温のうちいずれかの室温が暖房開始温度Ｔｈ２以下となっている場合にはステップＳ２５に進み、空調装置２１の暖房運転を開始させる。その後、本処理を終了する。これにより、自動運転禁止モードが設定されている場合にも、空調空間１１〜１４の室温がさらに著しく低下した場合には、空調装置２１の暖房運転が開始されるようになっている。
【００５２】
以上、詳述した本実施形態の構成によれば、以下の優れた効果が得られる。
【００５３】
居住者による操作装置３１（ＯＮ／ＯＦＦスイッチ）のＯＦＦ操作（運転停止操作）に基づき空調装置２１の運転が停止されている場合に各空調空間１１〜１４の室温を取得し、そして、それら取得した各空調空間１１〜１４の室温のうちいずれかの室温が第１冷房開始温度Ｔｃ１まで上昇した場合には空調装置２１の冷房運転を開始させ、また、上記いずれかの室温が第１暖房開始温度Ｔｈ１まで低下した場合には空調装置２１の暖房運転を開始させるようにした。これにより、夏場において冷房運転を停止している際に空調空間１１〜１４の室温が著しく上昇した場合には冷房運転を自動で開始させ、冬場において暖房運転を停止している際に空調空間１１〜１４の室温が著しく低下した場合には、暖房運転を自動で開始させることができる。これにより、居住者（祖父母）が空調装置２１の運転停止時に空調空間１１〜１４の室温が上昇したり低下したりしたことに気づかない場合でも、空調装置２１の運転を自動で再開させることができるため、空調装置２１の運転停止に伴う空調空間１１〜１４の温度上昇又は温度低下により居住者（祖父母）が体調を悪くしてしまうのを防止することができる。
【００５４】
自動運転禁止モードに設定されている場合には、空調空間１１〜１４の室温が冷房開始温度Ｔｃ１まで上昇しても、空調装置２１の冷房運転を開始させないようにした。また、自動運転禁止モードに設定されている場合には、空調空間１１〜１４の室温が暖房開始温度Ｔｈ１まで低下しても、空調装置２１の暖房運転を開始させないようにした。これにより、居住者（例えば祖父母）が冷え症等で空調が苦手な場合に、空調装置２１の運転を開始させないようにすることができるため、空調装置２１の運転再開により居住者が不快感等を感じてしまうのを防止することができる。
【００５５】
自動運転禁止モードに設定されている場合でも、各空調空間１１〜１４の室温のうちいずれかの室温が第１冷房開始温度Ｔｃ１よりも高い第２冷房開始温度Ｔｃ２まで上昇した場合には空調装置２１の冷房運転を開始させるようにした。また、自動運転禁止モードに設定されている場合でも、上記いずれかの室温が第１暖房開始温度Ｔｈ１よりも低い第２暖房開始温度Ｔｈ２まで低下した場合には空調装置２１の暖房運転を開始させるようにした。これにより、空調が苦手な居住者（例えば祖父母）により自動運転禁止モードに設定されている場合にも、空調空間１１〜１４の温度がさらに著しく上昇又は低下したときには空調装置２１の運転が自動で開始されるため、こうした場合でも、居住者が体調を悪くしてしまうのを防止することができる。
【００５６】
居住者が建物１０内に在宅していると判定した場合に空調装置２１の運転を開始させるようにした。この場合、居住者が在宅していない場合には空調装置２１の運転が開始されないため、居住者が不在であるにもかかわらず無駄に空調装置２１を運転させてしまうことを回避することができる。
【００５７】
本発明は上記実施形態に限らず、例えば次のように実施されてもよい。
【００５８】
（１）上記実施形態では、空調装置２１の冷房運転停止時に空調空間１１〜１４の室温が冷房開始温度Ｔｃ１まで上昇した場合に空調装置２１の冷房運転を自動で開始させるようにしたが、これを変更して、空調空間１１〜１４の室温が冷房開始温度Ｔｃ１まで上昇した場合に居住者に空調装置２１の冷房運転開始操作を促す報知処理を行うようにしてもよい。例えば、建物１０内にブザーやスピーカ等の報知装置を設け、その報知装置により音声を出力することで報知処理を行うことが考えられる。また、居住者の携帯するスマートフォン等の携帯端末にメールを送信することで報知処理を行ってもよい。このような場合でも、居住者に空調空間１１〜１４の室温が著しく上昇したことを気づかせることができ、居住者に空調装置２１の冷房運転を再開させることが可能となる。また、これと同様に、空調装置２１の暖房運転停止時に空調空間１１〜１４の室温が暖房開始温度Ｔｈ１まで低下した場合に空調装置２１の暖房運転開始操作を促す報知処理を行ってもよい。この場合にも、居住者に空調空間１１〜１４の室温が著しく低下したことを気づかせることができ、居住者に空調装置２１の暖房運転を再開させることが可能となる。よって、この場合にも、空調装置２１の運転停止に伴う空調空間１１〜１４の温度上昇や温度低下により居住者（例えば祖父母）が体調を悪くしてしまうのを防止することができる。
【００５９】
（２）上記（１）で説明した報知処理を行う構成において、報知処理を行ってから所定時間が経過しても空調装置２１の運転が開始されない場合に、空調コントローラ３０により、空調装置２１の運転を自動で開始させる制御を行うようにしてもよい。居住者（例えば祖父母）が昼寝等をしている場合には報知処理を行っても、居住者がそれに気づかない場合が想定される。その点上記の構成とすれば、そのような場合でも、空調装置２１の運転が自動で開始されるため、居住者が体調を悪くしてしまうのを防止することができる。
【００６０】
（３）上記実施形態では、自動運転禁止モードの設定時に各空調空間１１〜１４の室温のうちいずれかの室温が冷房開始温度Ｔｃ２又は暖房開始温度Ｔｈ１に達した場合には空調装置２１の運転を開始させるようにしたが、これを変更して、空調装置２１の運転を開始させないようにしてもよい。
【００６１】
（４）例えば、各空調空間１１〜１４の室温のうちいずれかの室温が冷房開始温度Ｔｃ１まで上昇した場合又は暖房開始温度Ｔｈ１まで低下した場合に、空調コントローラ３０により、その上昇又は低下からの経過時間が所定時間を超えたか否かを判定し、その判定の結果、所定時間を超えた場合に空調装置２１の冷房運転又は暖房運転を開始させるようにしてもよい。
【００６２】
（５）上記実施形態では、空調装置２１が冷房機能及び暖房機能を有していたが、空調装置２１が冷房機能のみ又は暖房機能のみ有している場合もある。そこで、そのような空調装置２１に本発明を適用してもよい。
【００６３】
（６）各空調空間１１〜１４のうち居室１１は比較的広い部屋となっているため、居室１１には室温センサ２５を複数配置するようにしてもよい。この場合、例えば、各室温センサ２５により検知された室温の平均値を居室１１の室温として取得することが考えられる。こうすることで、居室１１内で温度差が生じる場合にも対応が可能となる。
【００６４】
（７）全館空調システムとしては、複数階建てからなる建物において、共通の空調装置により各階部分の空調を行う構成が考えられる。例えば二階建ての建物において、一階部分の空間部（一階空間部）と二階部分の空間部（二階空間部）とを共通の空調装置により空調を行う構成が考えられる。こうした空調システムに本発明を適用する場合には、各階空間部に室温センサを設けることとなる。
【符号の説明】
【００６５】
１０…建物、１１〜１３…屋内空間としての居室、１４…屋内空間としての寝室、２１…空調装置、２５…室温センサ、２６…人検知センサ、３０…制御手段としての空調コントローラ、３１…操作装置。
【図１】
2018189329.tif 000003
【図２】
2018189329.tif 000004
【図３】
2018189329.tif 000005